(57)【要約】【課題】縦列型機械式駐車装置全体の円滑性を向上させることを目的とする。【解決手段】縦列型エレベータ式駐車装置は、エレベータ式駐車装置が入庫方向に複数並び、複数のエレベータ式駐車装置の入庫口が共有される。エレベータ式駐車装置は、車両が搭載されるパレットと、パレットを搬送する搬送機が昇降する昇降路と、搬送機によって搬送されたパレットを格納する格納棚と、を有する。手前側機が有する複数のパレットは、車路の一部に用いる車路兼用パレットを含む。制御装置は、手前側機において車両を格納する際に、車路兼用パレットが格納される車路兼用パレット格納棚以外の格納棚である複数の車両搭載用格納棚のうちから、車両を格納することが可能な格納棚を決定する決定処理を行う車両格納棚決定手段を備え、車路兼用パレット格納棚は、手前側機の車路側に配置されている。【選択図】図６
2019105066.tif 000002
【特許請求の範囲】
【請求項１】
機械式駐車装置が入庫方向に複数並び、複数の該機械式駐車装置の入出庫口が共有される縦列型機械式駐車装置であって、
前記機械式駐車装置は、車両が搭載される複数のパレットと、前記パレットを搬送する搬送機が昇降する昇降路と、前記搬送機によって搬送された複数の前記パレットを収容する複数の格納棚と、を有し、前記車両が搭載された前記パレットを前記格納棚に格納することで、前記車両を格納し、
前記入出庫口が設けられた前記機械式駐車装置が有する複数の前記パレットは、前記入出庫口から前記入出庫口が設けられていない前記機械式駐車装置までの車路の一部に用いる車路兼用パレットを含み、
前記入出庫口が設けられた前記機械式駐車装置において前記車両を格納する際に、前記車路兼用パレットが格納される第１格納棚以外の前記格納棚である複数の第２格納棚のうちから、前記車両を格納することが可能な前記格納棚を決定する決定処理を行う車両格納棚決定手段を備え、
前記第１格納棚は、前記入出庫口が設けられた前記機械式駐車装置全体の前記車路側に配置されている縦列型機械式駐車装置。
【請求項２】
前記車路に最も近い前記格納棚が前記第１格納棚である請求項１に記載の縦列型機械式駐車装置。
【請求項３】
前記第１格納棚に収容される前記車路兼用パレットは、上面が平面状である請求項１または請求項２に記載の縦列型機械式駐車装置。
【請求項４】
前記車両格納棚決定手段は、前記入出庫口が設けられた前記機械式駐車装置において前記車両を格納する際に、複数の前記第２格納棚のすべてに前記車両が格納されており、前記車両を格納することが可能な前記格納棚を決定できないとき、前記車路兼用パレットが収容された前記第１格納棚に前記車両を格納することを決定する請求項１から請求項３のいずれかに記載の縦列型機械式駐車装置。
【請求項５】
前記入出庫口が設けられた前記機械式駐車装置には、前記パレットとは別に、前記搬送機で搬送可能な車路専用パレットが設けられている請求項４に記載の縦列型機械式駐車装置。
【請求項６】
複数の前記第２格納棚のすべてに前記車両が格納されており、かつ、前記第１格納棚に前記車両が格納されていない状態で、前記入出庫口が設けられた前記機械式駐車装置が満車である判断する請求項１から請求項３のいずれかに記載の縦列型機械式駐車装置。
【請求項７】
前記車両格納棚決定手段が前記決定処理を行う際に除外する前記格納棚を、各前記機械式駐車装置の運用状況に基づいて、前記第１格納棚から、複数の前記第２格納棚のうちの１つの前記格納棚である変更格納棚に変更する変更処理を行う変更手段を備え、
前記変更手段が前記変更処理を行った場合には、前記変更格納棚に収容されている前記パレットを前記車路の一部に用いる車路兼用パレットとする請求項１から請求項６のいずれかに記載の縦列型機械式駐車装置。
【請求項８】
機械式駐車装置が入庫方向に複数並び、複数の該機械式駐車装置の入出庫口が共有され、前記機械式駐車装置は、車両が搭載される複数のパレットと、前記パレットを搬送する搬送機が昇降する昇降路と、前記搬送機によって搬送された複数の前記パレットを収容する複数の格納棚と、を有し、前記車両が搭載された前記パレットを前記格納棚に格納することで、前記車両を格納し、前記入出庫口が設けられた前記機械式駐車装置が有する複数の前記パレットは、前記入出庫口から前記入出庫口が設けられていない前記機械式駐車装置までの車路の一部に用いる車路兼用パレットを含む縦列型機械式駐車装置の制御方法であって、
前記入出庫口が設けられた前記機械式駐車装置において前記車両を格納する際に、前記車路兼用パレットが格納される第１格納棚以外の前記格納棚である複数の第２格納棚の中から、前記車両を格納することが可能な前記格納棚を決定する車両格納棚決定工程を備えた縦列型機械式駐車装置の制御方法。
【発明の詳細な説明】
【技術分野】
【０００１】
本発明は、縦列型機械式駐車装置及び縦列型機械式駐車装置の制御方法に関するものである。
【背景技術】
【０００２】
機械式駐車装置として、入庫する車の進行方向にエレベータ式駐車装置を複数列連なって配置する縦列型エレベータ式駐車装置が知られている（例えば、特許文献１）。このような、縦列型エレベータ式駐車装置では、１つのエレベータ式駐車装置のみに入出庫口を設け、入出庫口が設けられていないエレベータ式駐車装置（以下、「奥側機」という。）には、入出庫口を設けたエレベータ装置（以下、「手前側機」という。）を通過して入庫する構造とされる。
【０００３】
エレベータ式駐車装置には、機能上、床面にピット開口を設ける必要がある。このため、奥側機に入庫する際には、手前側機を車両が通過できるように、手前機の床面に形成されたピット開口を、移動床等の特別な装置を用いて塞ぎ、車路を形成している。
【先行技術文献】
【特許文献】
【０００４】
【特許文献１】特許第３９４７０６３号公報
【発明の概要】
【発明が解決しようとする課題】
【０００５】
近年、エレベータ式駐車装置に用いられる様々な機械が大型化してきたことにより、移動床等の車路形成用の特別な装置の設置スペースが不足してきたことや、コスト低減を図るとの観点から、移動床等の車路形成用の特別な装置を用いずに、奥側機への車両進入を可能とすることが望まれている。
【０００６】
特許文献１に開示された装置では、奥側への入出庫の際に必要となる車路を、これまでの昇降床装置による昇降床に代えて車路用パレットを用い、これを車両格納棚の１つに格納しておき、入出庫の際にエレベータケージに搭載して乗入れ部に設置することで車路を確保するようにしている。
【０００７】
しかしながら、特許文献１に開示された装置では、車路専用のパレットを設けて、専用の格納棚に格納しているので、車両格納用のパレットを車路に用いることを考慮したものではない。
車両格納用のパレットを車路と使用する場合、車両が格納されていない格納棚に収容されているパレット（いわゆる空きパレット）を用いる必要がある。一般的に、機械式駐車場は、車両を格納する時間を短くするために、入出庫口等に近い格納棚に車両を格納することが多いので、入出庫口から比較的近い格納棚には車両が格納されている場合が多く、空きパレットは、入出庫口から遠い位置となることが多かった。したがって、車両格納用のパレットを車路と使用する構造では、車路とするために入出庫口から遠い位置にあるパレットを搬送してこなければならず、搬送に時間がかかり、機械式駐車装置全体の円滑性が悪化する可能性があった。
【０００８】
本発明は、このような事情に鑑みてなされたものであって、円滑性を向上させることができる縦列型機械式駐車装置及び縦列型機械式駐車装置の制御方法を提供することを目的とする。
【課題を解決するための手段】
【０００９】
上記課題を解決するために、本発明の縦列型機械式駐車装置及び縦列型機械式駐車装置の制御方法は以下の手段を採用する。
本発明に一態様に係る縦列型機械式駐車装置は、機械式駐車装置が入庫方向に複数並び、複数の該機械式駐車装置の入出庫口が共有される縦列型機械式駐車装置であって、前記機械式駐車装置は、車両が搭載される複数のパレットと、前記パレットを搬送する搬送機が昇降する昇降路と、前記搬送機によって搬送された複数の前記パレットを収容する複数の格納棚と、を有し、前記車両が搭載された前記パレットを前記格納棚に格納することで、前記車両を格納し、前記入出庫口が設けられた前記機械式駐車装置が有する複数の前記パレットは、前記入出庫口から前記入出庫口が設けられていない前記機械式駐車装置までの車路の一部に用いる車路兼用パレットを含み、前記入出庫口が設けられた前記機械式駐車装置において前記車両を格納する際に、前記車路兼用パレットが格納される第１格納棚以外の前記格納棚である複数の第２格納棚のうちから、前記車両を格納することが可能な前記格納棚を決定する決定処理を行う車両格納棚決定手段を備え、前記第１格納棚は、前記入出庫口が設けられた前記機械式駐車装置全体の前記車路側に配置されている。
【００１０】
入出庫口が設けられた機械式駐車装置（以下、「手前側機」という。）と入出庫口が設けられていない奥側機械式駐車装置（以下、「奥側機」という。）との入出庫口が共有されている構造においては、奥側機に入庫するためには、手前側機を通過する必要がある。通常、機械式駐車装置には、パレットを搬送する搬送機械や車両を旋回するための旋回装置等を設ける関係で、床面にピットが形成されている。したがって、手前側機を通過するためには、ピットを塞ぐ必要がある。
上記構成では、奥側機に入庫するために車両が手前側機を通過する際に、車両を格納する際に用いられるパレットを用いてピットを塞ぐことができる。このように、車両を格納する際に用いられるパレットを車路にも用いるこができるので、手前側機を通過させるための車路を設ける特別な装置（例えば、移動床装置等）を設けることなく、車両を奥側機へ入庫させることができる。したがって、特別な装置を設ける構成と比較して、建設コストを低減することができる。
【００１１】
また、車両を格納する際に用いられるパレットを車路としても用いているので、車両を格納する際に用いられるパレットとは別に車路専用のパレットを設ける場合と比較して、機械式駐車装置内に設けられるパレットの数を低減できるので、省スペース化することができるとともに、設置コストを抑制することができる。
【００１２】
また、手前側機において車両を格納する際に、車路兼用パレットが格納される第１格納棚以外の格納棚である複数の第２格納棚の中から、車両を格納することが可能な格納棚を決定する車両格納棚決定手段を備えている。車路兼用パレットが格納される第１格納棚に車両が格納されると、車両が格納されている間は、当該車路兼用パレットを車路として用いることができない。上記構成では、車両格納棚決定手段によって、手前側機において車両を格納する際に、車路兼用パレットを収容する格納棚である第１格納棚が、最後まで車両が格納されない状態で残る。したがって、最後まで、車路兼用パレットを車路として利用することができる。
また、最後まで車両が格納されない第１格納棚は、手前側機の車路側に配置されているので、第１格納棚と車路との距離が短くなる。これにより、常に、車路兼用パレットが格納棚と車路との間を移動する時間を短くすることができる。したがって、縦列型機械式駐車装置全体の円滑性を向上させることができる。
なお、入出庫口が設けられた機械式駐車装置全体の車路側とは、手前側機において、車路からの距離が、車路と車路から最も遠い格納棚との離間距離の半分以下の領域を意味する。
【００１３】
また、本発明に一態様に係る縦列型機械式駐車装置は、前記車路に最も近い前記格納棚が前記第１格納棚であってもよい。
【００１４】
上記構成では、車路兼用パレットと車路との距離が最も近い。これにより、車路兼用パレットが格納棚と車路との間を移動する時間をより短くすることができる。したがって、縦列型機械式駐車装置全体の円滑性をより向上させることができる。
【００１５】
また、本発明に一態様に係る縦列型機械式駐車装置は、前記第１格納棚に収容される前記車路兼用パレットは、上面が平面状であってもよい。
【００１６】
上記構成では、第１格納棚に収容される車路兼用パレットは、上面が平面状である。これにより、当該パレットを車路として用いた際に、平面状の上面を車両が走行することとなるので、車両が走行し易い。したがって、縦列型機械式駐車装置の利用者の利便性を向上させることができる。
【００１７】
また、本発明に一態様に係る縦列型機械式駐車装置は、前記車両格納棚決定手段は、前記入出庫口が設けられた前記機械式駐車装置において前記車両を格納する際に、複数の前記第２格納棚のすべてに前記車両が格納されており、前記車両を格納することが可能な前記格納棚を決定できないとき、前記車路兼用パレットが収容された前記第１格納棚に前記車両を格納することを決定してもよい。
【００１８】
上記構成では、複数の第２格納棚のすべてに車両が格納されており、車両を格納することが可能な格納棚を決定できないとき、車路兼用パレットが収容された第１格納棚に車両を格納する。これにより、すべての手前側機において、すべての格納棚に車両を格納することができるので、縦列型機械式駐車装置の収容車両数の低下を防止することができる。
【００１９】
また、本発明に一態様に係る縦列型機械式駐車装置は、前記入出庫口が設けられた前記機械式駐車装置には、前記パレットとは別に、前記搬送機で搬送可能な車路専用パレットが設けられていてもよい。
【００２０】
上記構成では、車路専用のパレットを設けているので、手前側機において、すべての格納棚に車両が格納されている状態であっても、車路専用パレットを用いることで、車路を形成することができる。
【００２１】
また、本発明に一態様に係る縦列型機械式駐車装置は、複数の前記第２格納棚のすべてに前記車両が格納されており、かつ、前記第１格納棚に前記車両が格納されていない状態で、前記入出庫口が設けられた前記機械式駐車装置が満車である判断してもよい。
【００２２】
上記構成では、車路兼用パレットが収容された第１格納棚に車両が格納されていない状態で満車と判断するので、常に第１格納棚に車両が格納されていない状態とすることができる。これにより、常に、第１格納棚に格納された車路兼用パレットを車路の一部とすることができる。
【００２３】
また、本発明に一態様に係る縦列型機械式駐車装置は、前記車両格納棚決定手段が前記決定処理を行う際に除外する前記格納棚を、各前記機械式駐車装置の運用状況に基づいて、前記第１格納棚から、複数の前記第２格納棚のうちの１つの前記格納棚である変更格納棚に変更する変更処理を行う変更手段を備え、前記変更手段が前記変更処理を行った場合には、前記変更格納棚に収容されている前記パレットを前記車路の一部に用いる車路兼用パレットとしてもよい。
【００２４】
上記構成では、車路の一部に用いる車路兼用パレットを、各機械式駐車装置の運用状況に基づいて変更することができる。これにより、各機械式駐車装置の運用状況に応じた格納棚に車路兼用パレットを収容することができる。
よって、車路から比較的近い格納棚を、車両格納棚決定手段が決定処理を行う際に除外する格納棚とした場合には、当該格納棚には車両が格納されず、常に車路の一部として用いることができる。したがって、例えば、手前側機のパレットを車路の一部として用いる頻度が高い時間帯には、車路から近い格納棚に車路兼用パレットを収容することで、車路兼用パレットを車路の一部とする時間を短縮することができるので、縦列型機械式駐車装置全体の円滑性を向上させることができる。
また、車路から比較的遠い格納棚を、車両格納棚決定手段が決定処理を行う際に除外する格納棚とした場合には、車路から近い格納棚に車両を格納することが可能となる。したがって、例えば、手前側機において車両の格納や格納棚からの出庫が頻繁に行われる時間帯には、車路から近い格納棚に車両を格納できるようにすることで、車両の格納や格納棚からの出庫にかかる時間を短縮することができるので、縦列型機械式駐車装置全体の円滑性を向上させることができる。
【００２５】
本発明の一態様に係る縦列型機械式駐車装置の制御方法は、  機械式駐車装置が入庫方向に複数並び、複数の該機械式駐車装置の入出庫口が共有され、前記機械式駐車装置は、車両が搭載される複数のパレットと、前記パレットを搬送する搬送機が昇降する昇降路と、前記搬送機によって搬送された複数の前記パレットを収容する複数の格納棚と、を有し、前記車両が搭載された前記パレットを前記格納棚に格納することで、前記車両を格納し、前記入出庫口が設けられた前記機械式駐車装置が有する複数の前記パレットは、前記入出庫口から前記入出庫口が設けられていない前記機械式駐車装置までの車路の一部に用いる車路兼用パレットを含む縦列型機械式駐車装置の制御方法であって、前記入出庫口が設けられた前記機械式駐車装置において前記車両を格納する際に、前記車路兼用パレットが格納される第１格納棚以外の前記格納棚である複数の第２格納棚の中から、前記車両を格納することが可能な前記格納棚を決定する車両格納棚決定工程を備えている。
【発明の効果】
【００２６】
本発明によれば、縦列型機械式駐車装置全体の円滑性を向上させることができる。
【図面の簡単な説明】
【００２７】
【図１】本発明の実施形態に係る縦列型エレベータ式駐車装置の構成を示す斜視図である。
【図２】本発明の第１実施形態に係る縦列型エレベータ式駐車装置の構成を示す模式的な縦断面図である。
【図３】図２の車両搭載用パレットを示す斜視図である。
【図４】図２の車路兼用パレットを示す斜視図である。
【図５】図２の制御装置のブロック図である。
【図６】車両格納棚決定処理を示すフローチャートである。
【図７】図１の縦列型エレベータ式駐車装置の模式的な縦断面図であって、パレットを車路として用いている状態を示した図である。
【図８】本発明の第２実施形態に係る縦列型エレベータ式駐車装置の構成を示す模式的な縦断面図である。
【図９】パレット決定処理を示すフローチャートである。
【図１０】図２及び図８の変形例を示す模式的な縦断面図である。
【発明を実施するための形態】
【００２８】
以下に、本発明に係る縦列型機械式駐車装置及び縦列型機械式駐車装置の制御方法の一実施形態について、図面を参照して説明する。
〔第１実施形態〕
以下、本発明の第１実施形態について、図１から図６を用いて説明する。
図１に示すように、本実施形態に係る縦列型機械式駐車装置は、乗入階の上方に格納棚１９が設けられているエレベータ式駐車装置が、車両２の入出庫方向に複数並び、入出庫口３を共有している縦列型エレベータ式駐車装置１である。すなわち、縦列型エレベータ式駐車装置１は、入出庫口３を有する手前側のエレベータ式駐車装置（以下、「手前側機４」という。）及び、入出庫口３を有していないエレベータ式駐車装置（以下、「奥側機５」という。）で構成される。本実施形態に係る縦列型エレベータ式駐車装置１は、一例として、２つのエレベータ式駐車装置が前後に並んでいる。以下の説明において、手前側機４では、入出庫口３を有する階を乗入階と称呼し、奥側機５では、手前側機４の乗入階と同じ高さに位置する階を乗入階と称呼する。また、入出庫口３には上下スライド式の入出庫扉６（図３参照）が設けられている。
【００２９】
図２に示すように、手前側機４及び奥側機５の乗入階は、乗降室となっており、その床面７には、主に車両２の方向を転換させる目的のターンテーブル８が設置されている。ターンテーブル８は、乗入階の床面７に形成された凹状の開口ピット９内に旋回板１０と旋回駆動部１１が設けられた構成である。旋回駆動部１１が旋回板１０を１５０ｍｍ〜２００ｍｍ程度持ち上げつつ、旋回板１０を旋回させることで、ターンテーブル８上に載置された後述するパレット１８を旋回させる。なお、手前側機４及び奥側機５の乗降室の詳細については後述する。
【００３０】
手前側機４及び奥側機５の中心部には、垂直な昇降路１３が形成されており、この中に搬送機（エレベータ状のパレット搬送機）１４が上下に昇降可能に設けられている。搬送機１４は、手前側機４及び奥側機５の上部に設けられたウインチ１５から下方に延びるワイヤロープ（図示省略）に吊持されている。搬送機１４は、モータ（駆動部）１７によってウインチ１５が駆動することにより昇降路１３内を上下に昇降する。
【００３１】
昇降路１３の両側には複数の格納棚１９が設けられている。この格納棚１９は、昇降路１３を挟むようにして上下に多階層状に設けられており、それぞれの格納棚１９にはパレット１８が１枚ずつ収容されている。すべての階層において、昇降路１３の一側に配置された格納棚１９と、昇降路１３の他側に配置された格納棚１９とは、それぞれ略同一の高さ位置に配置されている。なお、格納棚１９は、支柱等によって支持されているが、支柱等は図示が省略されている。
【００３２】
また、パレット１８は、搬送機１４により把持され格納棚１９と、乗入階とを往復する。すなわち、格納棚１９と、この格納棚１９に収容されているパレット１８とは、一対一の対応となっており、パレット１８が、別の格納棚１９に格納されることはない。パレット１８は、乗入階に降ろされたときに、開口ピット９を塞ぐように、降ろされる。本実施形態に係るパレット１８（後述する車路兼用パレット２２または車路専用パレット２３）は、格納棚１９に格納される車両２が載置されるとともに、入出庫口３から奥側機５までの車路の一部となる。すなわち、入出庫口３から奥側機５までの車路は、手前側機４の床面７と、開口ピット９を塞ぐパレット１８とによって構成される。
【００３３】
手前側機４には、用途に応じた３種類のパレット１８が備えられている。具体的には、格納棚１９に格納される車両２が搭載される車両搭載用パレット２１と、車両２を搭載可能であり、かつ、手前側機４の開口ピット９を塞いで入出庫口３から奥側機５までの車路の一部となる車路兼用パレット２２と、手前側機４の開口ピット９を塞いで入出庫口３から奥側機５までの車路の一部となる車路専用パレット２３と、が備えられている。車路専用パレット２３は、車路として用いるのみで、車両を搭載しない。
なお、奥側機５には、車路兼用パレット２２及び車路専用パレット２３は備えられておらず、車両搭載用パレット２１のみが備えられている。
【００３４】
車両搭載用パレット２１は、図３に示すように、鋼板を折曲し形成されており、その幅方向中央部に形成されたセンターガイド凸部２１ａと、両側の側縁部に立設された左右一対の車輪誘導壁２１ｂと、センターガイド凸部２１ａと車輪誘導壁２１ｂとの間に形成されて車両２の車輪を車両搭載用パレット２１の長手方向（載置される車両２の前後方向）に沿わせて誘導する２本の車輪誘導溝２１ｃと、を有する。センターガイド凸部２１ａ、車輪誘導壁２１ｂ及び車輪誘導溝２１ｃは、車両搭載用パレット２１の長手方向の略全域に亘って設けられている。
【００３５】
車路兼用パレット２２及び車路専用パレット２３は、図４に示すように、上面２２ａが平面に形成されている。また、下面の両側の側縁部には、下方に突出する凸部２２ｂが設けられている。凸部２２ｂは、車路兼用パレット２２の長手方向（上面２２ａ上を通過する車両２の前後方向）の略全域に亘って設けられている。また、車路兼用パレット２２の上面２２ａには、車両２を奥側機５に導く表示手段（図示省略）が設けられていてもよい。表示手段は、例えば、ＬＥＤライトによって奥側機５方向を示す矢印であってもよく、車両２のヘッドライトから照射される光を反射する反射材で奥側機５方向を示す矢印であってもよい。
【００３６】
手前側機４には、収容するパレット１８に応じた３種類の格納棚１９が備えられている。具体的には、車路兼用パレット２２を収容する車路兼用パレット格納棚（第１格納棚）３５と、車両搭載用パレット２１を収容する車両搭載用パレット格納棚（第２格納棚）３４と、車路専用パレット２３を収容する車路専用パレット格納棚３６が備えられている。車路兼用パレット格納棚３５と車両搭載用パレット格納棚３４とは、構造上は略同一の構造であって、格納高さ（格納棚１９の上面から、当該格納棚１９の１段上に配置される格納棚１９の下面までの距離）が略２０００ｍｍ程度とされている。車路専用パレット格納棚３６は、パレット１８を収容可能であって、かつ、占有スペースが過剰に増大しない程度の格納高さ（本実施形態では、略５００ｍｍ程度）とされている。
手前側機４では、車路兼用パレット格納棚３５が、多階層状に設けられ複数段の格納棚１９のうち、最下段であって、かつ、入出庫口３側の格納棚１９となっている。また、車路兼用パレット格納棚３５及び車路専用パレット格納棚３６以外の全ての格納棚１９は、車両搭載用パレット格納棚３４となっている。
また、車路専用パレット格納棚３６は、最上段であって、かつ、奥側機５側の車両搭載用パレット格納棚３４の上方に配置されている。通常のエレベータ式駐車装置では、最上段に配置される格納棚１９の上方には、多少の余剰スペースがあるので、この余剰スペースを利用することで、車路専用パレット格納棚３６を設けている。このように、余剰スペースに設けることで、手前側機４を大型化することなく、車路専用パレット２３及び車路専用パレット格納棚３６を設けることができる。
【００３７】
また、縦列型エレベータ式駐車装置１には、制御装置２５が設けられている。制御装置（車両格納棚決定手段）２５は、図５に示すように、手前側機４において車両２を格納する際に、車路兼用パレット格納棚３５以外の格納棚１９である複数の車両搭載用パレット格納棚３４のうちから、車両２を格納することが可能な格納棚１９を決定する車両格納棚決定処理（決定処理）を行う格納棚決定部２７と、車路兼用パレット格納棚３５を記憶している記憶部２６と、を備えている。
【００３８】
なお、制御装置２５は、例えば、ＣＰＵ（Central  Processing  Unit）、ＲＡＭ（Random  Access  Memory）、ＲＯＭ（Read  Only  Memory）、及びコンピュータ読み取り可能な記憶媒体等から構成されている。そして、各種機能を実現するための一連の処理は、一例として、プログラムの形式で記憶媒体等に記憶されており、このプログラムをＣＰＵがＲＡＭ等に読み出して、情報の加工・演算処理を実行することにより、各種機能が実現される。なお、プログラムは、ＲＯＭやその他の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００３９】
次に、制御装置２５が行う車両格納棚決定処理を図６のフローチャートに基づいて説明する。
まず、制御装置２５は、記憶部２６に記憶されている車路兼用パレット格納棚３５の位置を取得する（Ｓ１）。次に、車両搭載用パレット格納棚３４（すなわち、格納棚１９全体から車路兼用パレット格納棚３５を除外した格納棚１９）に、車両２が格納されていない格納棚１９があるか否かを判定する（Ｓ２）。
車両搭載用パレット格納棚３４の中に、車両２が格納されていない車両搭載用パレット格納棚３４があると判定した場合には、車両２が格納されていない車両搭載用パレット格納棚３４のうち、最も下段にある車両搭載用パレット格納棚３４に車両２を格納することを決定する（Ｓ３）。
車両搭載用パレット格納棚３４の中に、車両２が格納されていない車両搭載用パレット格納棚３４がないと判定した場合には、車路兼用パレット格納棚３５に車両２を格納することを決定する（Ｓ４）。Ｓ３で最も下段にある車両搭載用パレット格納棚３４に車両２を格納することを決定するか、Ｓ４で車路兼用パレット格納棚３５に車両２を格納することを決定すると、本処理を終了する。
【００４０】
なお、本処理は、一例であり、本発明はこれに限定されない。例えば、車両搭載用パレット格納棚３４のうち、最も車路に近いもの（すなわち、本実施形態では、最下段の車両搭載用パレット格納棚３４）から順番に、車両２が格納されているか否かを判断し、車両が格納されていない車両搭載用パレット格納棚３４を検出すると、当該車両搭載用パレット格納棚３４に車両２を格納することを決定してもよい。このように処理を行った場合には、車両を格納する際のパレット１８の移動時間を短縮し、円滑性を向上させることができる。
【００４１】
次に、縦列型エレベータ式駐車装置１の運用方法について説明する。
［手前側機格納時］
手前側機４に車両２を格納する際には、まず、制御装置２５において、上述の車両格納棚決定処理が行い、車両２を格納する車両搭載用パレット格納棚３４を決定する。
車両２を格納する車両搭載用パレット格納棚３４を決定すると、当該車両搭載用パレット格納棚３４から、車両搭載用パレット２１が、搬送機１４によって乗入階に降ろされる。次に、乗入階に降ろされた車両搭載用パレット２１に車両２を載置する。次に、車両２が載置された車両搭載用パレット２１ごとターンテーブル８によって９０°方向転回される。そして、搬送機１４によって昇降路１３を上昇し、車両２が車両搭載用パレット２１ごと車両搭載用パレット格納棚３４に格納される。なお、車両２を車両搭載用パレット格納棚３４から出庫させる場合には、この逆の運用が行われる。
【００４２】
［奥側機格納時］
奥側機５に車両２を格納する際には、まず、手前側機４において、車路兼用パレット格納棚３５から、搬送機１４によって、車路兼用パレット２２が乗入階に降ろされる。このとき、車路兼用パレット２２は、開口ピット９を塞いでいる。また、並行して、奥側機５では、車両２が載置されていない車両搭載用パレット２１が、収容されている車両搭載用パレット格納棚３４から、搬送機１４によって乗入階に降ろされる。
次に、図７に示すように、入出庫口３から手前側機４も入庫した車両２が、車路兼用パレット２２の上を通過し、奥側機５に入庫する。奥側機５に入庫した車両２は、乗入階に降ろされた車両搭載用パレット２１に載置される。次に、車両２が載置された車両搭載用パレット２１ごとターンテーブル８によって９０°方向転回される。そして、搬送機１４によって昇降路１３を上昇し、車両２が車両搭載用パレット２１ごと車両搭載用パレット格納棚３４に格納される。なお、車両２を車両搭載用パレット格納棚３４から出庫させる場合には、この逆の運用が行われる。
【００４３】
本実施形態によれば、以下の作用効果を奏する。
本実施形態では、奥側機５に入庫するために、手前側機４を通過する際に、開口ピット９を塞ぐために、車両２を格納するためのパレット１８を用いることができる。これにより、手前側機４を通過させるための特別な装置（例えば、移動床装置等）を設けることなく、車両２を奥側機５へ入庫させることができる。したがって、特別な装置を設ける構成と比較して、建設コストを低減することができるとともに、省スペース化することができる。
【００４４】
また、制御装置２５が、手前側機４において車両２を格納する際に、車路兼用パレット２２が格納される車路兼用パレット格納棚３５以外の格納棚１９である複数の車両搭載用パレット格納棚３４の中から、車両２を格納することが可能な格納棚１９を決定する車両格納棚決定処理を行う。車路兼用パレット２２が格納される車路兼用パレット格納棚３５に車両２が格納されると、車両２が格納されている間は、車路兼用パレット２２を車路として用いることができない。本実施形態では、車両格納棚決定処理によって、手前側機４において車両２を格納する際に、車路兼用パレット２２を収容する車路兼用パレット格納棚３５が、最後まで車両２が格納されない状態で残る。したがって、最後まで、車路兼用パレット２２を車路として利用することができる。
また、最後まで車両２が格納されない車路兼用パレット格納棚３５は、手前側機４の車路に最も近い位置に配置されているので、第１格納棚と車路との距離が最も短くなる。これにより、常に、車路兼用パレット２２が車路兼用パレット格納棚３５と車路との間を移動する時間を短くすることができる。したがって、縦列型エレベータ式駐車装置１全体の円滑性を向上させることができる。
【００４５】
また、車路兼用パレット格納棚３５に収容される車路兼用パレット２２は、上面２２ａが平面状である。これにより、車路兼用パレット２２を車路として用いた際に、平面状の上面２２ａを車両２が走行することとなるので、車両２が走行し易い。したがって、縦列型エレベータ式駐車装置１の利用者の利便性を向上させることができる。
また、本実施形態では、車両２を搭載可能であり、かつ、車路として用いるパレット１８を、車路兼用パレット２２のみとしている。したがって、当該パレット１８のみを上面を平面状にすれるだけで、常に、利用者の利便性を向上させることができる。よって、既存の縦列型エレベータ式駐車装置に対して、本実施形態の態様を適用する場合には、パレット１８の変更が一枚のパレット１８だけで済むので、改造する際のコストを低減することができる。
【００４６】
また、複数の車両搭載用パレット格納棚３４のすべてに車両２が格納されており、車両２を格納することが可能な格納棚１９を決定できないとき、車路兼用パレット２２が収容された車路兼用パレット格納棚３５に車両２を格納する。これにより、すべての手前側機４において、すべての格納棚１９に車両２を格納することができるので、縦列型エレベータ式駐車装置１の収容車両数の低下を防止することができる。
【００４７】
また、車路専用パレット２３を設けているので、手前側機４において、車路兼用パレット格納棚３５に車両２が格納されている状態であっても、車路専用パレット２３を用いることで、車路を形成することができる。
【００４８】
本発明は、上記実施形態に限定されるものではなく、その要旨を逸脱しない範囲において、適宜変形が可能である。
例えば、上記実施形態では、車路兼用パレット格納棚３５が、多階層状に設けられ複数段の格納棚１９のうち、最下段であって、かつ、入出庫口３側に配置されている例について説明したが、本発明はこれに限定されない。例えば、最下段であって、かつ、奥側機５側に配置されていてもよい。また、車路兼用パレット格納棚３５が配置されるのは、最下段でなくてもよい。ただし、車路からの距離が、車路と車路から最も遠い格納棚１９との離間距離の半分以下の領域（すなわち、本実施形態では、複数段の格納棚１９の半分より下の段の格納棚１９）に車路兼用パレット格納棚３５を設けるのが、搬送時間が比較的短くなり、円滑性の観点から好適である。
また、上記実施形態では、車路兼用パレット格納棚３５を単数設ける例について説明したが、車路兼用パレット格納棚３５は、複数設けてもよい。
【００４９】
また、上記実施形態では、車両搭載用パレット格納棚３４の中に、車両２が格納されていない車両搭載用パレット格納棚３４がないと判定した場合には、車路兼用パレット格納棚３５に車両２を格納することを決定する例について説明したが、本発明はこれに限定されない。例えば、車両搭載用パレット格納棚３４の中に、車両２が格納されていない車両搭載用パレット格納棚３４がないと判定した場合に、車路兼用パレット格納棚３５に車両２を格納せずに、制御装置２５に設けられた満車判定部２８（図５参照）が満車と判定してもよい。
【００５０】
このような構成とすることで、常に車路兼用パレット格納棚３５に車両２が格納されていない状態とすることができる。これにより、常に、車路兼用パレット格納棚３５に格納された車路兼用パレット２２を車路の一部とすることができる。したがって、車路専用パレット及び車路専用パレット格納棚を設ける必要がなく、車路専用パレット及び車路専用パレット格納棚を設ける構成と比較して、省スペース化することができるとともに、設置コストを抑制することができる。
【００５１】
〔第２実施形態〕
次に、本発明の第２実施形態について、図８及び図９を用いて説明する。
本実施形態では、図８に示すように、手前側機４が、車路兼用パレット格納棚３５に収容された車路兼用パレット２２とは別に、さらに３枚の車路兼用パレットを備えている点、及び、制御装置２５が、手前側機４及び奥側機５における混雑状況等の運用状況に基づいて、車路として用いるパレット１８を決定するパレット決定処理（変更処理）を行う点が、主に第１実施形態と異なる。
本実施形態の説明では、上記第１実施形態と同様の構成については、同一の符号を付し、その説明を省略する。また、車路兼用パレット２２と、他の３枚の車路兼用パレットとを識別するために、第１実施形態における車路兼用パレット２２を第１車路兼用パレット２２Ａとし、第１車路兼用パレット２２Ａが収容される格納棚１９を第１車路兼用パレット格納棚３５Ａとして説明する。
【００５２】
上述のように、本実施形態の手前側機４は、第１車路兼用パレット２２Ａとは別に、３枚の車路兼用パレット（第２車路兼用パレット２２Ｂ、第３車路兼用パレット２２Ｃ及び第４車路兼用パレット２２Ｄ）を有する。また、第１車路兼用パレット２２Ａ格納棚とは別に、第２車路兼用パレット２２Ｂ、第３車路兼用パレット２２Ｃ及び第４車路兼用パレット２２Ｄを各々格納する、第２車路兼用パレット格納棚（変更格納棚）３５Ｂ、第３車路兼用パレット格納棚（変更格納棚）３５Ｃ及び第４車路兼用パレット格納棚（変更格納棚）３５Ｄを有する。
【００５３】
第２車路兼用パレット２２Ｂ、第３車路兼用パレット２２Ｃ及び第４車路兼用パレット２２Ｄは、第１車路兼用パレット２２Ａと同一の形状をしている。すなわち、第２車路兼用パレット２２Ｂ、第３車路兼用パレット２２Ｃ及び第４車路兼用パレット２２Ｄの上面は平面状に構成され、車路として使用したときに利用者の利便性が向上する形状とされている。また、第２車路兼用パレット格納棚３５Ｂ、第３車路兼用パレット格納棚３５Ｃ及び第４車路兼用パレット格納棚３５Ｄは、第１車路兼用パレット格納棚３５Ａと同一の構造をしている。
第２車路兼用パレット２２Ｂ、第３車路兼用パレット２２Ｃ及び第４車路兼用パレット２２Ｄは、各々、格納棚１９の下から２段目、３段目及び４段目に設けられている。
【００５４】
制御装置２５は、手前側機４及び奥側機５における混雑状況等の運用状況に基づいて、車路として用いるパレット１８を決定するパレット決定処理を行うパレット決定部（変更手段。図示省略）を有する。
【００５５】
次に、制御装置２５が行う選択処理を図９のフローチャートに基づいて説明する。
まず、制御装置２５は、予約制御があるか否かを判定する（Ｓ１１）。予約制御があると判定した場合には、Ｓ１５に進む。予約制御がないと判定した場合には、Ｓ１２に進み、過去データから繁忙時間帯か否かを判断する（Ｓ１２）。繁忙時間帯であると判定した場合には、Ｓ１５に進む。繁忙時間帯でないと判定した場合には、Ｓ１３に進み、第１車路兼用パレット格納棚３５Ａに車両２が格納されているか否かを判定する（Ｓ１３）。第１車路兼用パレット格納棚３５Ａに車両２が格納されていないと判定した場合には、第１車路兼用パレット格納棚３５Ａに収容されている第１車路兼用パレット２２Ａを車路用のパレット１８とすることを決定する（Ｓ１４）。すなわち、車両格納棚決定処理のＳ２で、格納棚１９全体から除外する格納棚１９を第１車路兼用パレット格納棚３５Ａとすることを決定し、他の車路兼用パレット格納棚は、車両搭載用パレット格納棚３４と見做し、車両２を格納可能であると判断する。
Ｓ１３で、第１車路兼用パレット格納棚３５Ａに車両２が格納されていると判定した場合には、Ｓ１５に進む。
【００５６】
Ｓ１５では、現在の在庫状況を判定する。現在の在庫状況が空き多数であると判定した場合には、第２車路兼用パレット格納棚３５Ｂに車両２が格納されているか否かを判定する（Ｓ１６）。現在の在庫状況が混雑状態であると判定した場合には、Ｓ１８に進む。第２車路兼用パレット格納棚３５Ｂに車両２が格納されていないと判定した場合には、第２車路兼用パレット格納棚３５Ｂに収容されている第２車路兼用パレット２２Ｂを車路用のパレット１８とすることを決定する（Ｓ１７）。すなわち、車両格納棚決定処理のＳ２で、格納棚１９全体から除外する格納棚１９を第２車路兼用パレット格納棚３５Ｂとすることを決定し、他の車路兼用パレット格納棚は、車両搭載用パレット格納棚３４と見做し、車両２を格納可能であると判断する。
Ｓ１６で、第２車路兼用パレット格納棚３５Ｂに車両２が格納されていると判定した場合には、Ｓ１９に進む。
【００５７】
Ｓ１８では、混雑度合を判定する（Ｓ１８）。現在の混雑度合が低い度合であると判定した場合には、第３車路兼用パレット格納棚３５Ｃに車両２が格納されているか否かを判定する（Ｓ１９）。現在の混雑度合が高い度合であると判定した場合には、Ｓ２１に進む。第３車路兼用パレット格納棚３５Ｃに車両２が格納されていないと判定した場合には、第３車路兼用パレット格納棚３５Ｃに収容されている第３車路兼用パレット２２Ｃを車路用のパレット１８とすることを決定する（Ｓ２０）。すなわち、車両格納棚決定処理のＳ２で、格納棚１９全体から除外する格納棚１９を第３車路兼用パレット格納棚３５Ｃとすることを決定し、他の車路兼用パレット格納棚は、車両搭載用パレット格納棚３４と見做し、車両２を格納可能であると判断する。
Ｓ１９で、第３車路兼用パレット格納棚３５Ｃに車両２が格納されていると判定した場合には、Ｓ２１に進む。
【００５８】
Ｓ２１では、第４車路兼用パレット格納棚３５Ｄに車両２が格納されているか否かを判定する（Ｓ２１）。第４車路兼用パレット格納棚３５Ｄに車両２が格納されていないと判定した場合には、第４車路兼用パレット格納棚３５Ｄに収容されている第４車路兼用パレット２２Ｄを車路用のパレット１８とすることを決定する。すなわち、車両格納棚決定処理のＳ２で、格納棚１９全体から除外する格納棚１９を第４車路兼用パレット格納棚３５Ｄとすることを決定し、他の車路兼用パレット格納棚は、車両搭載用パレット格納棚３４と見做し、車両２を格納可能であると判断する。
Ｓ２１で、第４車路兼用パレット格納棚３５Ｄに車両２が格納されていると判定した場合には、Ｓ２３に進む。
【００５９】
Ｓ２３では、車路専用パレット車路として使用することを決定する（Ｓ２３）。
Ｓ１４、Ｓ１７、Ｓ２０、Ｓ２２及びＳ２３で車路として使用することを決定すると、制御装置２５は本処理を終了し、車両格納棚決定処理に移行する。
【００６０】
車両格納棚決定処理のＳ１では、車両格納棚決定処理で車路として使用することが決定されたパレット１８が収容されている格納棚１９の位置を取得する。
その後の車両格納棚決定処理は、第１実施形態と同様なので、説明を省略する。
【００６１】
なお、Ｓ１２では、時刻別入出庫台数、過去一定期間の入出庫台数、入出庫車種台数及び時刻別予約制御件数のデータベース等に基づいて判定を行う。
【００６２】
本実施形態によれば、以下の作用効果を奏する。
上記構成では、車路の一部に用いるパレット１８を、手前側機４及び奥側機５における混雑状況等の運用状況に基づいて決定している。これにより、手前側機４及び奥側機５における混雑状況等の運用状況に応じた格納棚１９を車路に用いるパレット１８とすることができる。
【００６３】
具体的には、過去データから繁忙時間帯でない場合（すなわち、手前側機４のパレット１８を車路の一部として用いる頻度が高い時間帯）には、最下段の第１車路兼用パレット格納棚３５Ａに収容されている第１車路兼用パレット２２Ａを車路として使用しているので、車路兼用パレットの搬送時間を短縮することができる。したがって、縦列型エレベータ式駐車装置１全体の円滑性を向上させることができる。
【００６４】
また、過去データから繁忙時間帯である場合（手前側機４において車両２の格納や格納棚１９からの出庫が頻繁に行われる時間帯）等には、下から２段目〜４段目に配置された第２車路兼用パレット格納棚３５Ｂ〜第４車路兼用パレット格納棚３５Ｄに収容されている第２車路兼用パレット２２Ｂ〜第４車路兼用パレット２２Ｄの何れか、又は、車路専用パレット２３を車路として使用する。このように、車路から近い格納棚１９に車両２を格納できるようにすることで、車両２の格納や格納棚１９からの出庫にかかる時間を短縮することができるので、縦列型エレベータ式駐車装置１全体の円滑性を向上させることができる。
【００６５】
また、混雑度合いに基づいて、車路とするパレット１８を決定しているので、より好適に手前側機４及び奥側機５の運用状況に合わせた運用とすることができるので、縦列型エレベータ式駐車装置１全体の円滑性を向上させることができる。
【００６６】
本発明は、上記実施形態に限定されるものではなく、その要旨を逸脱しない範囲において、適宜変形が可能である。
例えば、上記実施形態では、車路兼用パレットとして選択可能なパレットを４枚とする例について説明したが、本発明はこれに限定されない。車路兼用パレットとして選択可能なパレットは、複数であればよい。
また、上記実施形態では、繁忙時間帯か否かで車路として用いるパレット１８を決定したが、パレット１８を決定するデータは、他のデータでもよい。過去の運用データを計算し、最も効率的に車路に用いるパレット１８の位置にできるものであればよい。
【００６７】
また、上記各実施形態では、乗入階に乗入れた際の車両２の向きと格納される車両２の向きとが異なる縦列型エレベータ式駐車装置１に本発明を適用する例について説明したが、本発明はこれに限定されない。例えば、図１０に示すように、乗入階に乗入れた際の車両２の向きと格納される車両２の向きとが同一となる縦列型エレベータ式駐車装置１００に本発明を適用してもよい。すなわち、本発明は、縦列型エレベータ式駐車場であれば、適用可能であり、乗入方式によっては限定されない。
【符号の説明】
【００６８】
１      縦列型エレベータ式駐車装置（縦列型機械式駐車装置）
２      車両
３      入出庫口
４      手前側機
５      奥側機
６      入出庫扉
７      床面
８      ターンテーブル
９      開口ピット
１０    旋回板
１１    旋回駆動部
１３    昇降路
１４    搬送機
１５    ウインチ
１７    モータ
１８    パレット
１９    格納棚
２１    車両搭載用パレット
２２    車路兼用パレット
２２Ａ  第１車路兼用パレット
２２Ｂ  第２車路兼用パレット
２２Ｃ  第３車路兼用パレット
２２Ｄ  第４車路兼用パレット
２３    車路専用パレット
２５    制御装置
２６    記憶部
２７    格納棚決定部（車両格納棚決定手段）
３４    車両搭載用パレット格納棚（第２格納棚）
３５    車路兼用パレット格納棚（第１格納棚）
３５Ａ  第１車路兼用パレット格納棚（変更格納棚）
３５Ｂ  第２車路兼用パレット格納棚（変更格納棚）
３５Ｃ  第３車路兼用パレット格納棚（変更格納棚）
３５Ｄ  第４車路兼用パレット格納棚（変更格納棚）
３６    車路専用パレット格納棚
１００  縦列型エレベータ式駐車装置
【図１】
2019105066.tif 000003
【図２】
2019105066.tif 000004
【図３】
2019105066.tif 000005
【図４】
2019105066.tif 000006
【図５】
2019105066.tif 000007
【図６】
2019105066.tif 000008
【図７】
2019105066.tif 000009
【図８】
2019105066.tif 000010
【図９】
2019105066.tif 000011
【図１０】
2019105066.tif 000012